(57)【特許請求の範囲】
【請求項１】
容器の口部に装着される装着部を有し当該装着部から一体に起立するノズルの内側に容器からの内容物の注出通路が形成されたキャップ本体と、ノズルの注出通路を封止する封止部に把持部が設けられた封止部材と、を備え、
前記ノズルを、その端面が内容物の流出方向に向かって傾斜する形状に形作るとともに、当該ノズルの先端部分をリップ形状に構成する一方、前記封止部材を、その封止部がノズル端面の上流側縁部と注出通路を形作る内周面とを覆う形状に形作るとともに、前記ノズルの上流側縁部を、ノズルの流路方向に沿って当該ノズルの先端部分の側から上流側に向けて延びる角形状をなす切欠きで形作り、
前記キャップ本体と前記封止部材とを剥離可能に一体的に成形し、
前記把持部は、前記封止部の上流側縁部から突出する基部を介して連結されたプルリングであることを特徴とするノズル付きキャップ。
【請求項２】
請求項１において、前記把持部は、前記ノズルの封止部の上流側部分に設けられていることを特徴とする、ノズル付きキャップ。
【請求項３】
請求項２において、前記ノズルの封止部の下流側部分は先端先細り形状に形成されていることを特徴とする、ノズル付きキャップ。
【請求項４】
請求項１乃至３のいずれか１項において、前記封止部材は前記キャップ本体よりも軟質の樹脂で構成され、前記キャップ本体と前記封止部材は、インサート成形又は二材成形により一体化されたものであることを特徴とする、ノズル付きキャップ。
【請求項５】
請求項４において、前記封止部材は、熱可塑性エラストマーで構成されたものであることを特徴とする、ノズル付きキャップ。
【請求項６】
請求項４又は５において、前記キャップ本体はポリプロピレン又は高密度ポリエチレンで構成され、前記封止部材はポリエステル系エラストマーで構成されたものであることを特徴とする、ノズル付きキャップ。
【発明の詳細な説明】
【技術分野】
【０００１】
本発明は、容器の口部に装着されてノズルの注出通路を通して内容物が注出されるノズル付きキャップに関するものである。
【背景技術】
【０００２】
内容物を収納する容器、例えば、詰め替え容器には、キャップに設けたノズルを通して内容物の注出を行うものがあり、こうしたノズルは従来、ノズルの先端に、プラスチックや金属箔からなる薄いフィルム（シート）を熱溶着等して、容器内部を密封するとともにバージン性を付与していた（例えば、特許文献１参照）。
【先行技術文献】
【特許文献】
【０００３】
【特許文献１】実開平５−７１１５２号公報
【発明の概要】
【発明が解決しようとする課題】
【０００４】
しかしながら、フィルムを用いて未使用状態を維持する場合、フィルムの固定は、ノズルの成形とは別工程で行う必要があり、その生産性について改善の余地がある。また、フィルムが強固に固定されていると剥がし難く、その操作性についても改善の余地がある。
【０００５】
これに対し、上記従来技術では、詰め替えが行われるリフィル容器の口部に別途、破断刃をもつ中栓を装着することで、フィルムを破断するよう構成しているが、部品点数の増加と、それに伴うコストの上昇を招くため、そのコスト性についても改善の余地がある。
【０００６】
即ち、本発明の目的とするところは、生産性、操作性及びコスト性に優れた、新規なノズル付きキャップを提供することにある。
【課題を解決するための手段】
【０００７】
本発明のノズル付きキャップは、容器の口部に装着される装着部を有し当該装着部から一体に起立するノズルの内側に容器からの内容物の注出通路が形成されたキャップ本体と、ノズルの注出通路を封止する封止部に把持部が設けられた封止部材と、を備え、
前記ノズルを、その端面が内容物の流出方向に向かって傾斜する形状に形作るとともに、当該ノズルの先端部分をリップ形状に構成する一方、前記封止部材を、その封止部がノズル端面の上流側縁部と注出通路を形作る内周面とを覆う形状に形作るとともに、前記ノズルの上流側縁部を、ノズルの流路方向に沿って当該ノズルの先端部分の側から上流側に向けて延びる角形状をなす切欠きで形作り、
前記キャップ本体と前記封止部材とを剥離可能に一体的に成形し、
前記把持部は、前記封止部の上流側縁部から突出する基部を介して連結されたプルリングであることを特徴とするものである。
【０００８】
前記キャップ本体と前記封止部材とは、同材を射出成形等して一体成形されたものは勿論、インサート成形又は二材成形により一体化されたものも含み、前記封止部材は、例えば、熱可塑性エラストマーで構成されたものとすることができる。
【発明の効果】
【００１１】
本発明では、キャップ本体と封止部材とを一体成形したことから、キャップ本体の成形と同時に封止部材をノズルに接着（擬似接着）できることで、生産性が向上する。また、容器の口部に装着するだけで済むため、容器に対する封止部材の適用が簡単である。しかも、キャップ本体と封止部材とは剥離可能に一体化され、すなわち封止部材はキャップ本体に擬似的に接着されているに過ぎないため、把持部を摘んで引き上げるだけでキャップ本体から容易に引き剥がせることから、キャップの開封操作を容易に行うことができる。更に、従来のように、リフィル容器にフィルムを破断するための部材を別途設ける必要もなく、安価である。
【００１２】
加えて、ノズルの先端部分をリップ形状に構成したことで、その先端部分が、リフィル容器（被詰め替え容器）の口部に保持されることで、リップ形状の先端部分の側部で生じる液漏れを防止することができる。また、封止部材の一部が先端部分の内周面に設けられたことで、封止部材を取り外してバリやケバ等が生じることで内容液の注出に影響が生じる場合であっても、バリやケバ等の切断跡を乗り越えて流れる内容物は、連結部から下流側（先端側）の内周面が先細りの湾曲形状となっているため、ノズル先端に集まることで、バリやケバ等の切断跡は結果として、流れの妨げとはならない。従って、リフィル容器の口部に当接させてあるいは差し込んで注出を行うような場合において内容物の注出をとくに円滑に行うことができる。
【００１３】
従って、本発明によれば、生産性、操作性及びコスト性に優れた、新規なノズル付きキャップを提供することができる。
【００１４】
なお、本発明に従えば、封止部材の材質を自由に選択できるが、例えば熱可塑性エラストマーで構成した場合、その弾性特性により、より容易にキャップの開封を行うことができる。
【００１５】
また、本発明に従えば、ノズルの上流側縁部を、ノズルの流路方向に沿って当該ノズルの先端部分の側から上流側に向けて延びる角形状をなす切欠きで形作ることで、当該切欠きを注出の際の空気置換口として機能させることができる。このため、本発明を詰め替え容器に適用し、再充填されるリフィル容器（被詰め替え容器）の口部に差し込んで注出を行うような場合に特に、内容物の注出を円滑に行うことができる。
【００１６】
また、本発明に従えば、把持部を、封止部から突出する基部を介して連結されたプルリングとすることで、把持部を操作し易くすることができる。
【図面の簡単な説明】
【００１７】
【図１】本発明である、ノズル付きキャップの第１の形態を容器に適用した状態で示す斜視図である。
【図２】図１のＡ−Ａ断面図である。
【図３】同形態に係る、把持部を摘んで封止部材をキャップ本体から引き剥がす様子を示した斜視図である。
【図４】本発明である、ノズル付きキャップの第２の形態を容器に適用した状態で示す斜視図である。
【図５】図４のＢ−Ｂ断面図である。
【図６】同形態に係る、把持部を摘んで封止部材をキャップ本体から引き剥がす様子を示した斜視図である。
【発明を実施するための形態】
【００１８】
以下、図面を参照して、本発明の様々な形態を詳細に説明する。
【００１９】
図中の符号１は、本発明のノズル付きキャップの第１の形態である。符号３０は、ノズル付きキャップ１が装着される容器であって、図２に示すように口部３１を有する。
【００２０】
ノズル付きキャップ１は、容器口部３１に装着されるキャップ本体２を有する。キャップ本体２は、容器口部３１に装着される装着部３を有する。装着部３は、容器口部３１の上側に配置されるとともに容器口部３１に通じる開口部が形成された天壁３ａを有し、この天壁３ａから筒体部３ｂが一体に垂下する。筒体部３ｂの内側には、ねじ部３ｓが形成されている。ねじ部３ｓは、容器口部３１に形成されたねじ部３１ｓに螺合する。
【００２１】
また、装着部３には、天壁３ａに形成された開口部を取り囲むように、ノズル４が一体に起立する。ノズル４は、周壁４ａを有し、その内側に、容器口部３１から送られた内容物の注出通路Ｒを形成する。また、天壁３ａからは、容器口部３１の内側に嵌合する嵌合筒３ｃが一体に垂下する。嵌合筒３ｃは、容器口部３１の内側をシールすることで、注出通路Ｒを容器３０内に液密状態に通じさせる。
【００２２】
ノズル４は、その端面４ｅが内容物の流出方向に向かって傾斜する形状に形作られている。即ち、ノズル４は、図１等に示すように、ノズル４の端面４ｅを傾斜させることで、少なくとも、その先端部分４ｔ1側が流路方向を長軸とする楕円形状に構成されている。これにより、内容物を注出するにあたりノズル４を傾けたとき、その先端部分４ｔ１が最も下流側に位置する。本形態では特に、ノズル４の先端部分４ｔ１を外向きに湾曲させることで、いわゆるリップ形状に構成されている。
【００２３】
これに対し、ノズル４の上流側縁部４ｔ2は、図１〜２に示すように、ノズル４の流路方向に沿って当該ノズル４の先端部分４ｔ1の側から上流側に向けて延びる角形状をなす切欠きで形作られている。
【００２４】
符号５は、注出通路Ｒの内側に設けられた封止部材である。封止部材５は、注出通路Ｒを封止する封止部５ａと、この封止部５ａに一体に設けられた把持部５ｃとからなり、封止部５ａは、環状の連結部５ｂを介してノズル４に一体に設けられている。環状の連結部５ｂは、薄肉に構成されており、所定の力を加えることで切断することができる。封止部材５は、その封止部５ａがノズル端面４ｅの上流側縁部４ｔ2と注出通路Ｒを形作る内周面４ｆとを覆う形状に形作られている。
【００２５】
本形態では、図２に示すように、環状の連結部５ｂは、封止部５ａの下流側部分５ａ1では、ノズル先端部分４ｔ1よりも上流側で、連結部５ｂ1を介して内周面４ｆに対して分離可能に連結されている一方、封止部５ａの上流側部分５ａ2では、連結部５ｂ2を介してノズル４の上流側縁部４ｔ2に対して分離可能に連結されている。
【００２６】
また、把持部５ｃは、封止部５ａから一体に突出する基部５ｃ1と、この基部５ｃ1を介して一体に連結されたプルリング５ｃ2とからなる。プルリング５ｃ2は、図３に示すように、使用者が指を通して引っ張ることで、同図のように、封止部材５全体をノズル４から分離させることができる。なお、本形態では、プルリング５ｃ2は、図１に示すように、ノズル４の開口部に対して平行に配置されている。
【００２７】
そして、キャップ本体２と封止部材５とはインサート成形又は二材成形により互いに異なる樹脂を用いて剥離可能に一体化されている。インサート成形の場合には、封止部材５に対してキャップ本体２をインサート材とすることができるが、封止部材５をインサート材としてもよい。また、二材成形の場合には、キャップ本体２を一次側、封止部材５を二次側とすることができるが、これらは逆にしてもよい。また、キャップ本体２と封止部材５とを剥離可能に一体化するには、例えば、キャップ本体２と封止部材５を相溶性の低いあるいは非相溶性の樹脂で形成することで実現できるがこれに限定されない。キャップ本体２の材料としては、ポリプロピレンや高密度ポリエチレン等の硬質樹脂を挙げることができ、封止部材５の材料としては、ポリエステル系エラストマー等の熱可塑性エラストマーを挙げることができるが、これらに限定されない。とくに、封止部材５は、キャップ本体２よりも軟質の樹脂で構成することでその引き剥がしが容易となる。更に、キャップ本体２と封止部材５とは、同材質で構成することもできる。なお、ここでは、キャップ本体３をポリプロピレンで形成し、封止部材５をポリエステル系エラストマーで形成している。
【００２８】
上述のように、本発明では、キャップ本体２と封止部材５とを一体成形したことから、キャップ本体２の成形と同時に封止部材５をノズル４に接着（擬似接着）できることで、生産性が向上する。また、容器口部３１に装着するだけで済むため、容器３０に対する封止部材５の適用が簡単である。しかも、キャップ本体２と封止部材５とは剥離可能に一体化され、すなわち封止部材５はキャップ本体２に擬似的に接着されているに過ぎないため、把持部５ｃを摘んで引き上げるだけでキャップ本体２から容易に引き剥がせることから、キャップの開封操作を容易に行うことができる。更に、従来のように、リフィル容器にフィルムを破断するための部材を別途設ける必要もなく、安価である。
【００２９】
従って、本発明によれば、生産性、操作性及びコスト性に優れた、新規なノズル付きキャップを提供することができる。
【００３０】
なお、本発明に従えば、封止部材の材質を自由に選択できるが、例えば熱可塑性エラストマーで構成した場合、その弾性特性により、より容易にキャップの開封を行うことができる。
【００３１】
また、本形態のように、ノズル４の上流側縁部４ｔ2を、ノズル４の流路方向に沿って当該ノズル４の先端部分４ｔ1の側から上流側に向けて延びる角形状をなす切欠きで形作れば、当該切欠きを注出の際の空気置換口として機能させることができる。このため、本発明を詰め替え容器に適用し、再充填されるリフィル容器（被詰め替え容器）の口部に差し込んで注出を行うような場合に特に、内容物の注出を円滑に行うことができる。
【００３２】
加えて、把持部５ｃを、本形態のように、封止部５ａから突出する基部５ｃ1を介して連結されたプルリング５ｃ2とすれば、把持部５ｃをより操作し易くすることができる。
【００３３】
本形態では特に、ノズル４の先端部分４ｔ１を外向きに湾曲させることで、いわゆるリップ形状に構成したことで、その先端部分４ｔ１が、リフィル容器（被詰め替え容器）の口部に保持されることで、リップ形状の先端部分４ｔ１の側部で生じる液漏れを防止することができる。また、封止部材５の一部である連結部５ｂ1が、先端部分４ｔ１の内周面４ｆに設けられたことで、封止部材５を取り外してバリやケバ等が生じることで内容液の注出に影響が生じる場合であっても、バリやケバ等の切断跡を乗り越えて流れる内容物は、連結部５ｂ1から下流側（先端側）の内周面４ｆが先細りの湾曲形状となっているため、ノズル先端ｔに集まることで、バリやケバ等の切断跡は結果として、流れの妨げとはならない。従って、リフィル容器の口部に当接させてあるいは差し込んで注出を行うような場合において内容物の注出をとくに円滑に行うことができる。
【００３４】
図４〜６は、本発明の第２の形態であって、プルリング５ｃ2は、図４に示すように、ノズル４の開口部に対して垂直に配置されている。
【００３５】
上述したところは、本発明の一形態を示したにすぎず、特許請求の範囲において、種々の変更を加えることができる。例えば、装着部３は容器口部３１に螺着しているが、アンダーカットのような係合リブを口部３１の外周及び周壁３ｂの内周の双方に設けて嵌合、保持するようにしてもよい（図示省略）。また、本形態では、ノズル４の開口部の形状では円形であるが、ノズル４の開口部は矩形や三角形等とすることができ、これに合わせて封止部５ａの形状も適宜変更することができる。把持部５ｃの外面には、滑り止めのための複数の凸部を形成することもできる。
【産業上の利用可能性】
【００３６】
本発明は、容器の口部に装着される装着部を有し当該装着部から一体に起立するノズルの内側に容器からの内容物の注出通路が形成されたキャップ本体と、ノズルの注出通路を封止する封止部に把持部が設けられた封止部材とを備えるノズル付きキャップであれば、様々なものに適用することができる。
【符号の説明】
【００３７】
１    ノズル付きキャップ
２    キャップ本体
３    装着部
４    ノズル
５    封止部材
５ａ  封止部
５ｂ  連結部
５ｃ  把持部
【図１】
0005968602.tif 000002
【図２】
0005968602.tif 000003
【図３】
0005968602.tif 000004
【図４】
0005968602.tif 000005
【図５】
0005968602.tif 000006
【図６】
0005968602.tif 000007